(57)【要約】【課題】画像データと無線タグデータの読取及び送受信可能な通信装置に関し、特に、送受信の対象である画像データにマーク等を付加した場合であっても、ファクシミリ送信時におけるユーザの作業負担を軽減し得る通信装置を提供する。【解決手段】ファクシミリ装置１において、送信原稿６１の無線タグ６２には、ウォーターマークデータを含む無線タグデータが書き込まれている。ファクシミリデータ６３の送信に際し、ファクシミリ装置１は、スキャナ部３により送信原稿６１の画像データを読み取り、無線タグリーダ１５により無線タグデータを読み取る（Ｓ１）。そして、ファクシミリ装置１は、無線タグデータに含まれるウォーターマークデータと、スキャナ部３で読み取られた送信原稿６１の画像データから合成画像データを生成し、当該合成画像データをファクシミリデータ６３として送信する（Ｓ８、Ｓ２６、Ｓ３２）。【選択図】図６
2008252291.tif 000002
【特許請求の範囲】
【請求項１】
送信原稿の画像データを読み取る読取手段と、
無線タグから無線タグデータを読み出す無線タグ読取手段と、
前記無線タグ読取手段により読み出された無線タグデータに、当該原稿の画像データに対するマークを付加することを示すマークデータが含まれている場合、前記読取手段により読み取られた画像データと、前記マークデータに基づくマーク画像データとを合成した合成画像データを生成する合成画像データ生成手段と、
前記合成画像データ生成手段により生成された合成画像データを、送信原稿データとして、指定された相手先に送信する送信手段と、を備えたことを特徴とする通信装置。
【請求項２】
送信原稿の画像データを読み取る読取手段と、
無線タグから無線タグデータを読み出す無線タグ読取手段と、
前記無線タグ読取手段により読み出された無線タグデータに、当該原稿の画像データに対するマークを付加することを示すマークデータが含まれている場合、前記読取手段により読み取られた画像データと共に、前記無線タグ読取手段により読み取られたマークデータを含む無線タグデータを、送信原稿データとして、指定された相手先に送信する送信手段と、を備えたことを特徴とする通信装置。
【請求項３】
送信原稿の画像データを読み取る読取手段と、
無線タグから無線タグデータを読み出す無線タグ読取手段と、
前記無線タグ読取手段により読み出された無線タグデータに、当該原稿の画像データに対するマークを付加することを示すマークデータが含まれている場合、前記読取手段により読み取られた画像データと、前記マークデータに基づくマーク画像データとを合成した合成画像データを生成する合成画像データ生成手段と、
前記合成画像データ生成手段により生成された合成画像データを、送信原稿データとして、指定された相手先に送信する第１送信手段と、
前記無線タグデータに前記マークデータが含まれている場合、前記読取手段により読み取られた画像データと共に、前記無線タグ読取手段により読み取られたマークデータを含む無線タグデータを、送信原稿データとして、指定された相手先に送信する第２送信手段と、
を備え、
送信原稿データの送信に先立って、指定された相手先が、無線タグデータの受信能力を有しているか否かを検出する検出手段と、
前記検出手段によって、当該相手先が無線タグデータの受信能力を有していないと検出した場合は、前記第１送信手段により、送信原稿データを送信し、
前記検出手段によって、当該相手先が無線タグデータの受信能力を有していると検出した場合には、当該相手先に対して、前記第２送信手段により、送信原稿データを送信するように制御する送信制御手段と、を備えることを特徴とする通信装置。
【請求項４】
請求項２又は請求項３記載の通信装置において、
前記送信原稿データの送信に先立って、当該送信原稿データの送信時に障害が生じた場合に当該送信原稿データの再送信を要求する再送信機能を、指定された相手先が有するか否かを検出する再送信機能検出手段と、
前記再送信機能検出手段により、当該相手先が再送信機能を有していると検出された場合には、少なくとも前記無線タグデータの送信に対して、前記再送信機能を有効に設定する送信設定手段と、を備えることを特徴とする通信装置。
【請求項５】
請求項４記載の通信装置において、
前記再送信機能検出手段により、指定された相手先が再送信機能を有していないと検出された場合には、前記送信原稿データの送信を停止する送信停止手段と、を備えることを特徴とする通信装置。
【請求項６】
請求項１乃至請求項５記載の通信装置において、
前記マークデータは、当該マークデータに基づくマーク画像の色彩を示すカラー指定データを含み、
前記送信原稿データの送信に先立って、指定された相手先におけるカラー出力機能の有無を検出するカラー出力機能検出手段と、
前記カラー出力機能検出手段により、当該相手先がカラー出力機能を有していないと検出された場合に、前記マークデータに含まれるカラー指定データを、彩度のみを指定した単色画像を示すモノクロ指定データに変更する変更手段と、を備えることを特徴とする通信装置。
【請求項７】
請求項１乃至請求項６記載の通信装置において、
前記マークデータは、当該送信原稿に対する画像データに対して、マークを付加する時期を示す時期データを含み、
現在日時を示す日時データを取得する日時取得手段と、
前記日時取得手段で取得された日時データと、前記マークデータに含まれる時期データとを比較し、当該マークデータを有効化するか否かを判断する判断手段と、を備えることを特徴とする通信装置。
【請求項８】
回線を介して、無線タグデータと画像データとを含む受信データを受信する受信手段と、
前記受信データから、前記無線タグデータと、前記画像データとを区分する区分手段と、
前記区分手段により区分された無線タグデータに、受信した画像データに対しマークを付加することを示すマークデータを含む場合に、当該マークデータに基づくマーク画像データと、前記画像データとを合成し、合成データを生成する合成手段と、
前記合成手段により生成された合成データを出力する出力手段と、を備えることを特徴とする通信装置。
【発明の詳細な説明】
【技術分野】
【０００１】
本発明は、画像データと無線タグデータの読取及び送受信可能な通信装置に関し、特に、送受信の対象である原稿の画像データに対し、ウォーターマーク或いはスタンプ等を付加しうる通信装置に関する。
【背景技術】
【０００２】
従来、ファクシミリ装置において、送信原稿に係る画像データに対して、ヘッダやスタンプを付加して送信する技術が提案されている。例えば、特許文献１記載のデジタル複写機では、デジタル複写機に配設されたペン入力部における入力に基づき、ヘッダやスタンプを作成し、作成された所望のヘッダやスタンプ等を付加した画像データを、ファクシミリ機能により相手先へ送信する。これにより、当該相手先において、所望のヘッダやスタンプ等が付加された画像データが記録紙に記録される。
【特許文献１】特開平０８−２６５５５２号公報
【発明の開示】
【発明が解決しようとする課題】
【０００３】
しかしながら、特許文献１記載のデジタル複写機においては、ユーザは、ペン入力部により所望のヘッダやマークを作成する必要があるため、当該デジタル複写機を用いなければ、所望のヘッダやマークを作成することができなかった。即ち、所望のマーク等を付加した画像データを送信する為には、ユーザは、送信時に「当該マーク等の作成」という作業を行わなければならなかった。つまり、特許文献１記載のデジタル複写機では、マーク等を付加した画像データを送信する際に、ユーザに作業負担を強いるという問題点を有している。
【０００４】
又、マーク等の作成に係る作業時間は長時間にわたるため、当該デジタル複写機は、当該或るユーザがマーク等を作成している場合、他のユーザのファクシミリ送信が滞るという問題点も有している。この点、近年では、当該マークの色や位置を詳細に設定可能な装置も開発されている。そうすると、当該特許文献１記載のデジタル複写機のような装置の場合、マークの色や位置等を詳細に設定するために、更に長時間にわたるマーク等の作成時間が必要となる。即ち、或るユーザによるマークの作成により、他のユーザのファクシミリ送信が遅滞するという問題点は、より深刻な問題となる。
【０００５】
本発明は、前記従来における問題点を解消するためになされたものであり、画像データと無線タグデータの読取及び送受信可能な通信装置に関し、特に、送受信の対象である画像データにマーク等を付加した場合であっても、ファクシミリ送信時におけるユーザの作業負担を軽減すると共に、他のユーザのファクシミリ送信を円滑に行い得る通信装置を提供することを目的とする。
【課題を解決するための手段】
【０００６】
前記課題を解決するために成された請求項１に係る通信装置は、送信原稿の画像データを読み取る読取手段と、無線タグから無線タグデータを読み出す無線タグ読取手段と、前記無線タグ読取手段により読み出された無線タグデータに、当該原稿の画像データに対するマークを付加することを示すマークデータが含まれている場合、前記読取手段により読み取られた画像データと、前記マークデータに基づくマーク画像データとを合成した合成画像データを生成する合成画像データ生成手段と、前記合成画像データ生成手段により生成された合成画像データを、送信原稿データとして、指定された相手先に送信する送信手段と、を備えたことを特徴とする。
【０００７】
ここでいう無線タグとは、非接触でデータの読み書きが可能な記録媒体をいい、ＩＣタグ、ＲＦＩＤ（Ｒａｄｉｏ  Ｆｒｅｑｕｅｎｃｙ  Ｉｄｅｎｔｉｆｉｃａｔｉｏｎ）タグとも称されるものである。又、原稿に付加された無線タグとは、原稿に貼付された無線タグだけではなく、例えば、原稿に埋め込まれた無線タグも含む。
【０００８】
又、ここでいうマークとは、原稿の画像データとは別に、マークデータに基づいて生成される画像であり、当該原稿の画像データと同一の記録用紙上に再現されるものである。従って、当該マークには、「スタンプ」や所謂「ウォーターマーク」が含まれる。又、マークの記録態様は、原稿の画像データの背景として、マークが記録される、所謂、バックグラウンド印刷であっても良く、原稿の画像データと略同じ濃度で重ね印刷される、所謂、スタンプ印刷であっても良い。更に、当該マークが示す内容は問わず、著作権情報を示す内容であっても良いし、記号や文字列であってもよい。
【０００９】
そして、請求項２記載の通信装置は、送信原稿の画像データを読み取る読取手段と、無線タグから無線タグデータを読み出す無線タグ読取手段と、前記無線タグ読取手段により読み出された無線タグデータに、当該原稿の画像データに対するマークを付加することを示すマークデータが含まれている場合、前記読取手段により読み取られた画像データと共に、前記無線タグ読取手段により読み取られたマークデータを含む無線タグデータを、送信原稿データとして、指定された相手先に送信する送信手段と、を備えたことを特徴とする。
【００１０】
又、請求項３記載の通信装置は、送信原稿の画像データを読み取る読取手段と、無線タグから無線タグデータを読み出す無線タグ読取手段と、前記無線タグ読取手段により読み出された無線タグデータに、当該原稿の画像データに対するマークを付加することを示すマークデータが含まれている場合、前記読取手段により読み取られた画像データと、前記マークデータに基づくマーク画像データとを合成した合成画像データを生成する合成画像データ生成手段と、前記合成画像データ生成手段により生成された合成画像データを、送信原稿データとして、指定された相手先に送信する第１送信手段と、前記無線タグデータに前記マークデータが含まれている場合、前記読取手段により読み取られた画像データと共に、前記無線タグ読取手段により読み取られたマークデータを含む無線タグデータを、送信原稿データとして、指定された相手先に送信する第２送信手段と、を備え、送信原稿データの送信に先立って、指定された相手先が、無線タグデータの受信能力を有しているか否かを検出する検出手段と、前記検出手段によって、当該相手先が無線タグデータの受信能力を有していないと検出した場合は、前記第１送信手段により、送信原稿データを送信し、前記検出手段によって、当該相手先が無線タグデータの受信能力を有していると検出した場合には、当該相手先に対して、前記第２送信手段により、送信原稿データを送信するように制御する送信制御手段と、を備えることを特徴とする。
【００１１】
そして、請求項４記載の通信装置は、請求項２又は請求項３記載の通信装置において、前記送信原稿データの送信に先立って、当該送信原稿データの送信時に障害が生じた場合に当該送信原稿データの再送信を要求する再送信機能を、指定された相手先が有するか否かを検出する再送信機能検出手段と、前記再送信機能検出手段により、当該相手先が再送信機能を有していると検出された場合には、少なくとも前記無線タグデータの送信に対して、前記再送信機能を有効に設定する送信設定手段と、を備えることを特徴とする。
【００１２】
又、請求項５記載の通信装置は、請求項４記載の通信装置において、前記再送信機能検出手段により、指定された相手先が再送信機能を有していないと検出された場合には、前記送信原稿データの送信を停止する送信停止手段と、を備えることを特徴とする。
【００１３】
そして、請求項６記載の通信装置は、請求項１乃至請求項５記載の通信装置において、前記マークデータは、当該マークデータに基づくマーク画像の色彩を示すカラー指定データを含み、前記送信原稿データの送信に先立って、指定された相手先におけるカラー出力機能の有無を検出するカラー出力機能検出手段と、前記カラー出力機能検出手段により、当該相手先がカラー出力機能を有していないと検出された場合に、前記マークデータに含まれるカラー指定データを、彩度のみを指定した単色画像を示すモノクロ指定データに変更する変更手段と、を備えることを特徴とする。
【００１４】
又、請求項７記載の通信装置は、請求項１乃至請求項６記載の通信装置において、前記マークデータは、当該送信原稿に対する画像データに対して、マークを付加する時期を示す時期データを含み、現在日時を示す日時データを取得する日時取得手段と、前記日時取得手段で取得された日時データと、前記マークデータに含まれる時期データとを比較し、当該マークデータを有効化するか否かを判断する判断手段と、を備えることを特徴とする。
【００１５】
そして、請求項８記載の通信装置は、回線を介して、無線タグデータと画像データとを含む受信データを受信する受信手段と、前記受信データから、前記無線タグデータと、前記画像データとを区分する区分手段と、前記区分手段により区分された無線タグデータに、受信した画像データに対しマークを付加することを示すマークデータを含む場合に、当該マークデータに基づくマーク画像データと、前記画像データとを合成し、合成データを生成する合成手段と、前記合成手段により生成された合成データを出力する出力手段と、を備えることを特徴とする。
【発明の効果】
【００１６】
請求項１記載の通信装置によれば、無線タグ読取手段で読み取られた無線タグデータにマークデータが含まれている場合、合成画像データ生成手段により、読取手段で読み取られた画像データと、当該マークデータに基づくマーク画像データとを合成し、合成画像データを生成することができる。そして、当該通信装置は、送信手段により、合成画像データ生成手段で生成された合成画像データを、送信原稿データとして、指定された相手先に送信できる。
【００１７】
即ち、請求項１に係る通信装置によれば、送信原稿の無線タグにマークデータを書き込んでおくことにより、ファクシミリ送信時に、当該送信原稿に対して付加するマークの作成等の作業が不要となる。つまり、当該通信装置によれば、ユーザは、送信原稿及び無線タグの読取作業を行うだけで、相手先にマークが付加された送信原稿のデータを送信することができる。この結果、当該送信原稿送信時におけるユーザの作業負担を軽減することができる。更に、当該ファクシミリ送信に要する作業時間を短縮できるので、他のユーザのファクシミリ送信の遅滞を防止しうる。
【００１８】
請求項２記載の通信装置によれば、請求項１記載の通信装置と同様に、送信原稿に係るデータを送信すると、相手先において、マークを付加した送信原稿の画像データが記録される。そして、当該通信装置においても、当該送信原稿の送信に際し、ユーザは、送信原稿及び無線タグの読取作業を行うだけで良いので、ユーザの作業負担を軽減し、他のユーザのファクシミリ送信の遅滞を防止しうる。
更に、当該通信装置によれば、送信原稿データとして、マークデータを含む無線タグデータと、画像データとを送信するので、相手先に送信するデータ量を少なくすることができる。
【００１９】
請求項３記載の通信装置によれば、無線タグデータにマークデータが格納されている場合に、検出手段により、相手先の無線タグデータの受信能力の有無を検出し、検出結果に応じて、第１送信手段による送信と、第２送信手段による送信を切り換えることができる。これにより、マークデータの付加が設定されている原稿を、相手先に確実に送信することができ、ユーザの意図に沿った送信原稿に係るデータ送信が可能となる。
【００２０】
請求項４記載の通信装置によれば、再送信機能検出手段により、相手先の再送信機能の有無を検出し、相手先に再送信機能がある場合に、少なくとも無線タグデータの送信に対して、再送信機能を有効に設定できる。従って、少なくとも無線タグデータ（即ち、これに含まれるマークデータ）は、確実に相手先に送信されるので、当該通信装置は、当該送信原稿に係る画像データが示す情報を、ユーザ所望の態様で確実に管理しうる。
【００２１】
請求項５記載の通信装置によれば、再送信機能検出手段により、指定された相手先が再送信機能を有していないと検出された場合には、送信停止手段により、前記送信原稿データの送信が停止される。この結果、無線タグデータ送信時に通信障害が生じた場合に、画像データのみが相手先に送信されることはない。即ち、マークを付加することなく、送信原稿に係る画像データが相手先へ送信されることはなく、当該通信装置は、送信原稿に係る画像データが示す情報を厳密に管理することができる。
【００２２】
請求項６記載の通信装置によれば、カラー出力機能検出手段により、相手先にカラー出力機能の有無を検出し、相手先にカラー出力機能がない場合、マークデータに含まれるカラー指定データをモノクロ指定データに変更して送信することができる。つまり、当該通信装置は、相手先のカラー出力機能の有無に関わらず、相手先の記録紙において、確実にマークが付加された画像を記録させることができる。この結果、当該通信装置は、送信元ユーザの送信原稿に対する意図を相手先の記録紙に十分に反映させることができ、送信元ユーザの意図する情報管理を行い得る。
【００２３】
請求項７記載の通信装置によれば、判断手段は、日時取得手段で取得された日時データと、マークデータに含まれる時期データとを比較し、当該マークデータを有効化するか否かを判断する。つまり、当該通信装置は、送信原稿の送信に際し、時期データに規定されたマークを付加する時期に応じて、マークを付加する。これにより、当該通信装置は、送信原稿に基づく情報の重要性が時期に応じて変化する場合であっても、その情報の重要性に応じた情報管理を実現しうる。更に、送信原稿の送信を行う際に、ユーザが期限等を気にする必要がなく、マークの付加を忘れるといった誤送信を防止することができる。
【００２４】
請求項８記載の通信装置によれば、受信手段により、無線タグデータと画像データとを含む受信データを受信すると、区分手段により、無線タグデータと画像データを区分することができる。そして、当該無線タグデータにマークデータが含まれている場合、当該通信装置は、合成手段により、画像データにマークデータに基づくマーク画像データを合成し、出力手段により出力することができる。
即ち、請求項８記載の通信装置は、送信元ユーザの意図に沿ったマークが付加された送信原稿の画像データを出力することができ、受信側装置において、送信元ユーザが意図した送信原稿に対する情報管理を実現しうる。
【発明を実施するための最良の形態】
【００２５】
以下、本発明に係る通信装置を、ファクシミリ装置に具体化した実施形態について、図面を参照しつつ詳細に説明する。図１は、本実施形態に係るファクシミリ装置１の模式的な構成を示す断面図である。
図１に示すように、ファクシミリ装置１は、自動原稿送り装置２と、スキャナ部３と、プリンタ部４と、給紙トレイ部５とを有する。
【００２６】
自動原稿送り装置２は、原稿載置部２Ａを備えている。ファクシミリ送信される原稿はこの原稿載置部２Ａに原稿面を下向きにして載置される。そして、ユーザによりスタートキー（図示せず）が押下されると、その原稿は１ページずつ送られ、スキャナ部３による画像データの読み取りが行われる。スキャナ部３による読取後、当該原稿は、原稿排出口（図示せず）から排出される。
【００２７】
スキャナ部３は、無線タグリーダ１５と、スキャナ装置２２とを備えている。無線タグリーダ１５は、自動原稿送り装置２により送られてきた原稿に無線タグが付加されていた場合、無線によりその無線タグからデータを読み出す。無線タグリーダ１５は、本発明における無線タグ読取手段の一例である。また、スキャナ装置２２は、無線タグの有無に関わらず、自動原稿送り装置２により送られる原稿の画像データを読み取る。スキャナ装置２２は、本発明における読取手段の一例である。
【００２８】
プリンタ部４は、無線タグライタ１６と、レーザプリンタ３０とを有する。無線タグライタ１６は、給紙トレイ部５から給紙される記録用紙に付加された無線タグに対し、無線によりデータ（後述する無線タグデータ等）を書き込む。
【００２９】
レーザプリンタ３０は、Ｙステーション３１、Ｍステーション３２、Ｃステーション３３、Ｋステーション３４を備えている。Ｙステーション３１には、イエローのトナーが収納されている。同様に、Ｍステーション３２にはマゼンダのトナー、Ｃステーション３３にはシアンのトナー、Ｋステーション３４にはブラックのトナーが収納されている。また、レーザプリンタ３０は、上記各ステーションのトナーを転写ドラム３５に受け渡すための中間転写ベルト３６や、定着用ローラ３７を備えている。そして、レーザプリンタ３０により画像が形成された記録用紙は、排紙スタッカ３９へ排紙される。レーザプリンタ３０は、本発明に係る出力手段の一例である。
【００３０】
給紙トレイ部５は、第１給紙トレイ５１、第２給紙トレイ５２、第３給紙トレイ５３を備えている。そして、第１給紙トレイ５１〜第３給紙トレイ５３には、夫々、検出センサ５４が配設されている。この検出センサ５４は、第１給紙トレイ５１〜第３給紙トレイ５３の夫々に収納された記録用紙における無線タグの有無や当該無線タグの書き込み可能容量を検出する。尚、この検出センサ５４は、積層された記録用紙の１枚に付加された無線タグの書き込み可能容量を検出する。
【００３１】
次に、本実施形態に係るファクシミリ装置１の制御系構成について、図面を参照しつつ詳細に説明する。図２は、ファクシミリ装置１の制御系構成を示すブロック図である。
ファクシミリ装置１には、ＣＰＵ１１、ＲＯＭ１２、ＲＡＭ１３、フラッシュメモリ１４を備えている。そして、これらは、ネットワーク・コントロール・ユニット（以下、「ＮＣＵ１９」という）等の各種周辺装置と共に、相互にバスライン２５を介して接続されている。
【００３２】
尚、ＣＰＵ１１、ＲＯＭ１２、ＲＡＭ１３、フラッシュメモリ１４は、後述する各種制御プログラムを実行することにより、本発明における合成画像データ生成手段、検出手段、送信制御手段、再送信機能検出手段、送信設定手段、送信停止手段、カラー出力機能検出手段、変更手段、判断手段、区分手段、及び合成手段として機能する。
【００３３】
ファクシミリ装置１のＣＰＵ１１は、回線制御を行うＮＣＵ１９を介して送受信される各種信号に従って、バスライン２５により接続された装置各部を制御してファクシミリ動作、即ち、データ通信を実行するものである。ＲＯＭ１２は、このファクシミリ装置１で実行される制御プログラムを格納した書換不能なメモリである。当該ＲＯＭ１２には、後述するファックス送信処理プログラム（図６参照）、ファックス受信処理プログラム（図１１参照）等の各種制御プログラムが格納されている。
【００３４】
ＲＡＭ１３は、ファクシミリ装置１の各動作の実行時に、各種のデータを一時的に記憶するためのメモリである。当該ＲＡＭ１３は、送信ファクシミリデータ記憶エリア１３１、送信無線タグデータサイズ記憶エリア１３２、無線タグデータ送信可能フラグ１３３、受信ファクシミリデータ記憶エリア１３４、サイズ情報記憶エリア１３５、受信無線タグデータサイズ記憶エリア１３６を備えている。
【００３５】
送信ファクシミリデータ記憶エリア１３１は、スキャナ装置２２により読み取られた原稿の画像データ及び無線タグリーダ１５で読み取られた無線タグデータにより構成されるファクシミリデータ６３が格納される記憶エリアである。
尚、ファクシミリデータ６３の構成及び無線タグデータの内容については、後に図面を参照しつつ詳細に説明する。
【００３６】
送信無線タグデータサイズ記憶エリア１３２は、無線タグリーダ１５によって読み取られた無線タグデータのデータサイズを格納する記憶エリアである。
【００３７】
無線タグデータ送信可能フラグ１３３は、ファクシミリ送信の相手先装置６０（図３参照）が、無線タグへデータを書き込む機能を有しているか否かを示すフラグである。本実施形態のファクシミリ装置１は、当該無線タグデータ送信可能フラグ１３３の記憶内容に基づいて、ファックス送信処理における送信方法を決定する。この点については、後に図面を参照しつつ詳細に説明する。
【００３８】
受信ファクシミリデータ記憶エリア１３４は、受信したファクシミリデータ６３が格納される記憶エリアである。当該受信ファクシミリデータ記憶エリア１３４に格納されたファクシミリデータ６３は、後述するファックス受信処理プログラムに従って消去される。
【００３９】
サイズ情報記憶エリア１３５は、送信元ファクシミリ装置から通知されたサイズ情報を記憶するエリアである。ここで、送信元ファクシミリ装置から通知されるサイズ情報は、
ファクシミリデータ６３に無線タグデータが含まれないことを示すサイズ情報と、ファクシミリデータ６３に含まれる無線タグデータのデータサイズを示すサイズ情報とが存在する。
【００４０】
受信無線タグデータサイズ記憶エリア１３６は、ファクシミリデータ６３の送信元ファクシミリ装置から受信した無線タグデータのデータサイズを格納する記憶エリアである。
【００４１】
フラッシュメモリ１４は、書換可能な不揮発性のメモリである。そして、フラッシュメモリ１４には、送信データ保存メモリ１４１が形成されている。この送信データ保存メモリ１４１には、相手先装置６０へのファクシミリデータの送信が禁止された場合に（Ｓ２１：ＮＯ）、スキャナ装置２２により読み取られた画像データが格納される（Ｓ２７）。この点については、後に図面を参照しつつ詳細に説明する。
【００４２】
図２に示すように、ファクシミリ装置１は、周辺装置として、ＮＣＵ１９、無線タグリーダ１５、無線タグライタ１６、モデム２０、バッファ２１、スキャナ装置２２、符号化部２３、復号化部２４、レーザプリンタ３０、検出センサ５４、操作パネル１７、ＬＣＤ１８、アンプ２７、タイマ２６を備えている。尚、これらの周辺装置も、バスライン２５を介して相互に接続されている。
【００４３】
無線タグリーダ１５は、上述したように、原稿の無線タグに格納されている無線タグデータを読み出す装置であり、本発明の無線タグデータ読取手段に相当する。そして、無線タグライタ１６は、無線タグに対して、無線タグデータを書き込む装置であり、本発明の更新手段、書込手段に相当する。
【００４４】
そして、モデム２０は、ファクシミリデータ６３を変調・復調して伝送すると共に伝送制御用の各種手順信号を送受信する装置である。バッファ２１は、相手側ファクシミリ装置との間で送受信される符号化されたファクシミリデータを含むデータを一時的に格納する記憶手段である。即ち、ＮＣＵ１９、モデム２０、バッファ２１は、本発明における送信手段、第１送信手段、第２送信手段、受信手段に相当する。
【００４５】
スキャナ装置２２は、上述したように、自動原稿送り装置２の一部を構成し、原稿載置部２Ａからページ単位で送られる原稿を読み取り、ページ単位の画像データを生成する。即ち、スキャナ部３は、本発明における読取手段を構成する。
【００４６】
符号化部２３は、ファクシミリデータ６３の送信に際し、ファクシミリデータ６３を符号化する部分である。そして、復号化部２４は、バッファ２１に記憶された受信データを読み出し、これを復号化する部分である。
【００４７】
レーザプリンタ３０は、上述したように、第１給紙トレイ５１〜第３給紙トレイ５３に格納された記録紙に対して、復号化部２４で復号化された画像データを印字する装置である。即ち、レーザプリンタ３０は、本発明における出力手段を構成する。
そして、検出センサ５４は、第１給紙トレイ５１〜第３給紙トレイ５３に配設されており、各給紙トレイに格納された記録紙における無線タグの有無を検出するセンサである。
【００４８】
操作パネル１７は、複数の数字キー及び上述したスタートキー等の複数のキーで構成された操作部である。操作パネル１７を構成する各キーの操作が行われると、入力信号がＣＰＵ１１に送信され、入力信号に基づく制御が行われる。例えば、ファクシミリ装置１においては、数字キーを操作することにより、ファクシミリ送信の相手先である相手先装置６０を指定することができる。
【００４９】
ＬＣＤ１８は、液晶ディスプレイで構成された表示装置である。当該ＬＣＤ１８には、ＣＰＵ１１による制御に基づいて、ファクシミリ装置１に関する種々の表示が行われる。例えば、ＬＣＤ１８には、操作パネル１７により相手先を指定した場合に、数字キーの入力に基づく相手先番号が表示される。又、アンプ２７には、スピーカ２８が接続され、呼出音などをこのスピーカ２８から出力する。
【００５０】
そして、タイマ２６は、現在日時を計時する計時手段である。当該タイマ２６は、ファックス送信処理プログラム（図６参照）、ファックス受信処理プログラム（図１１参照）を実行する際に参照され、ウォーターマークやスタンプに関する制御に用いられる。このタイマ２６は、本発明における日時取得手段に相当する。
【００５１】
更に、ファクシミリ装置１は、ＮＣＵ１９、電話回線４１を介して、交換機２９に接続されている。この交換機２９は、電話回線４２を介して、相手先装置側の交換機に接続され、更に電話回線を介して相手先装置に接続されている。従って、ファクシミリ装置１は、電話回線４１、交換機２９、電話回線４２等を介して、相手先装置６０（図３参照）とのファクシミリデータ６３の送受信を行うことができる。
【００５２】
次に、本実施形態に係るファクシミリ装置１におけるファクシミリデータ６３の送受信の概要について、図面を参照しつつ詳細に説明する。図３（ａ）は、ファクシミリ装置１と相手先装置６０との間で行われるファクシミリ送受信に関する説明図である。
尚、この図３（ａ）に示す相手先装置６０は、上述したファクシミリ装置１と同一の構成を有している。
【００５３】
図３（ａ）に示すように、ユーザがファクシミリ送信しようとする原稿（以下、送信原稿６１という）には、画像（図形、文字を含む）が形成されており、無線タグデータが格納可能な無線タグ６２が埋め込まれている。
そして、ユーザが送信原稿を原稿載置部２Ａにセットし、操作パネル１７のスタートキー（図示せず）を操作すると、原稿載置部２Ａにセットされた送信原稿は、１ページずつ、スキャナ部３の読取位置に送られる。
【００５４】
ここで、スキャナ装置２２に対し相対移動する送信原稿６１の移動経路には、無線タグリーダ１５によるデータ読出位置が設けられている。従って、自動原稿送り装置２により、送信原稿６１がスキャナ装置２２の読取位置で移動する過程で、無線タグリーダ１５は、当該送信原稿６１に付加された無線タグ６２の無線タグデータを読み出すことができる。
この結果、当該ファクシミリ装置１は、スキャナ装置２２による画像データの読取とほぼ同時に、無線タグリーダ１５による無線タグデータの読取を行うことができる。つまり、ユーザは、送信原稿６１を原稿載置部２Ａに載置し、スタートキーを操作する間便な作業を行うだけで、画像データ及び無線タグデータを、ファクシミリ装置１に読み取らせることができる。
【００５５】
尚、スキャナ装置２２や無線タグリーダ１５の配置関係は、これに限定されるものではなく、種々の態様が可能である。例えば、無線タグリーダが送信原稿６１の移動経路とは別に設けられていてもよい。この場合、無線タグデータだけを必要に応じて先にまとめて読み取らせるといった使用形態も可能となる。
【００５６】
次に、スキャナ装置２２、無線タグリーダ１５により読み取られ、相手先装置６０に送信される１ページ分の送信原稿６１に係るファクシミリデータ６３の構成について、図面を参照しつつ詳細に説明する。図３（ｂ）は、１ページ分の送信原稿６１のデータ構成を示す説明図である。
【００５７】
上述したように、ファクシミリデータ６３は、１ページ単位の送信原稿６１に基づく画像データと、当該送信原稿６１（この場合、或る１ページ分を指す）の無線タグ６２から読み出された無線タグデータにより構成されている。即ち、ファクシミリデータ６３は、スキャナ装置２２で読み取られた画像データと、無線タグリーダ１５で読み出された無線タグデータとがページ単位で対応付けられて構成されている。
【００５８】
このように構成されたファクシミリデータ６３を相手先装置６０に送信すると、当該相手先装置６０は、ファクシミリデータ６３に含まれる画像データに基づいて、記録用紙７１（図３（ａ）参照）に画像を形成することができる。
尚、相手先装置６０は、当該ファクシミリデータ６３に含まれる無線タグデータを、記録用紙７１に付加された無線タグ７２に書き込むことも可能である。
【００５９】
図３（ｂ）に示すように、１ページ分のファクシミリデータ６３は、画像データに先んじて、無線タグデータが送信されるように構成されている。従って、無線タグデータのサイズを特定することができれば、受信したデータを無線タグデータと画像データに容易に区分することができる。
【００６０】
尚、本実施形態に係るファクシミリ装置１は、上述したファクシミリデータ６３を相手先装置６０に送信する場合、先ず、無線タグデータのサイズ６４に関するサイズ情報を相手先装置６０に送信する。そうすると、相手先装置６０は、受信したサイズ情報に基づいて、当該サイズ情報に対応する受信データの先頭から所定サイズのデータを、無線タグデータとして特定することができ、画像データと無線タグデータを確実に区分することができる。
【００６１】
次に、本実施形態に係る無線タグ、無線タグリーダ１５、無線タグライタ１６の構成について、図面を参照しつつ詳細に説明する。
先ず、無線タグ（無線タグ６２、無線タグ７２）の構成について説明する。この点、無線タグ６２と無線タグ７２は、同一の構成であるので、無線タグ６２の構成を詳細に説明し、無線タグ７２に関する説明は省略する。
【００６２】
図４（ａ）に示すように、無線タグ６２は、アンテナ用コイル６２１、共振コンデンサ６２２、整流・平滑回路６２３、変復調回路６２４、ＣＰＵ６２５、ＲＯＭ６２６、ＥＥＰＲＯＭ６２７を備えている。
アンテナ用コイル６２１は、共振コンデンサ６２２と並列に接続されて共振回路を構成し、無線タグリーダ１５又は無線タグライタ１６から送信される所定の高周波数の電力用電波振動を受信して、当該電力用電波信号を整流・平滑回路６２３に供給する。
【００６３】
整流・平滑回路６２３は、動力用電源回路を構成する回路である。そして、整流・平滑回路６２３は、共振回路から送信されてきた電力用電波信号を整流・平滑化して一定電圧の直流電力にしてＣＰＵ６２５等に供給する。
【００６４】
尚、無線タグリーダ１５又は無線タグライタ１６からの送信信号は、電力用電波信号に重畳して送信される。そして、当該送信信号は、変復調回路６２４により復調され、ＣＰＵ６２５に与えられる。
【００６５】
ＣＰＵ６２５は、ＲＯＭ６２６に記憶された動作プログラムに従って動作し、変復調回路６２４からの信号に応じた所定の処理を実行する。即ち、ＣＰＵ６２５は、受信したデータを無線タグデータとしてＥＥＰＲＯＭ６２７に書き込む書込処理や、ＥＥＰＲＯＭ６２７から無線タグデータを読み出し、変復調回路６２４により変調した後、アンテナ用コイル６２１により電波信号として送信する読出処理等を実行する。
【００６６】
尚、当該無線タグ６２において、整流・平滑回路６２３、変復調回路６２４、ＣＰＵ６２５、ＲＯＭ６２６、ＥＥＰＲＯＭ６２７は、ＩＣチップとされ、アンテナ用コイル６２１、共振コンデンサ６２２と共に送信原稿６１に埋め込まれている。この点、無線タグ６２と同一の構成である無線タグ７２についても、同様に、記録用紙７１に埋め込まれている。
【００６７】
次に、本実施形態に係る無線タグリーダ１５、無線タグライタ１６の構成について、図面を参照しつつ詳細に説明する。図４（ｂ）は、無線タグリーダ１５、無線タグライタ１６の構成を示すブロック図である。
【００６８】
図４（ｂ）に示すように、無線タグリーダ１５は、受信アンテナ用コイル１５１と、受信部１５２を備えて構成されている。従って、無線タグリーダ１５は、無線タグ６２から送信された電波信号を受信アンテナ用コイル１５１で受信できる。そして、無線タグリーダ１５は、受信アンテナ用コイル１５１で受信した電波信号を受信部１５２で復調することで、無線タグデータとして弁別する。これにより、無線タグリーダ１５は、無線タグ６２から無線タグデータを読み出すことができる。
【００６９】
一方、無線タグライタ１６は、送信アンテナ用コイル１６１と、送信部１６２を備えて構成されている。従って、無線タグライタ１６は、キャリア信号を送信部１６２で変調して電力用電波信号として送信アンテナ用コイル１６１から送信することができる。更に、無線タグライタ１６は、送信すべき無線タグデータを電力用電波信号に重畳するように送信部１６２で変調して送信アンテナ用コイル１６１から送信できる。これにより、無線タグライタ１６は、無線タグ７２に無線タグデータを書き込むことができる。
【００７０】
続いて、無線タグデータに含まれる各種データについて、図面を参照しつつ詳細に説明する。図５は、本実施形態における無線タグデータに含まれる各種データを示す説明図である。
図５に示すように、無線タグ６２のＥＥＰＲＯＭ６２７には、固有ＩＤエリア、システムエリア、ユーザエリアの３つの記憶領域が形成されている。
【００７１】
固有ＩＤエリアは、当該無線タグ６２固有の識別情報が記憶される記録領域である。従って、この固有ＩＤエリアを参照することで、当該無線タグ６２を識別することができる。そして、システムエリアは、無線タグ６２の一般的な制御を行う上で必要なデータ等が記憶された記憶領域である。
【００７２】
そして、ユーザエリアは、ユーザが独自に無線タグデータを書き込み可能な記憶エリアであり、図５の例では、ウォーターマーク設定データ、マーク構成データ、マーク添付開始日時データが格納されている。
尚、本発明に係るウォーターマークデータは、ウォーターマーク設定データ、マーク構成データ、マーク添付開始日時データの３つを含んで構成される。尚、スタンプデータの場合も同様である。
【００７３】
そして、ウォーターマーク設定データは、「マーク有無設定」「マーク合成設定」「期日制限設定」を含むウォーターマークに関する各種設定を示すデータである。
「マーク有無設定」は、送信原稿６１に係る画像データに対するウォーターマークの付加に関する設定である。即ち、「マーク有無設定」を設定することにより、相手先装置６０の記録用紙７１において、後述するマーク構成データに基づくウォーターマークを画像データに対して付加するか否かが決定される。
【００７４】
「マーク合成設定」は、ウォーターマークデータの送信態様の設定を示すデータである。「マーク合成設定」には、「合成設定」と「非合成設定」の２種類の設定態様が存在する。「合成設定」が設定されている場合、ファクシミリ装置１は、相手先装置６０に対し、送信原稿６１に係る画像データに、マーク設定データに基づくウォーターマーク画像データを合成した合成画像データを送信する。
【００７５】
一方、「非合成設定」の場合、ファクシミリ装置１は、相手先装置６０に対して、送信原稿６１に係る画像データと、無線タグ６２に係る無線タグデータを送信する。この場合、送信されたデータを受信すると、相手先において、画像データとウォーターマーク画像データが合成され、記録用紙７１に記録される。
【００７６】
又、「期日制限設定」は、当該送信原稿６１の送信に際し、相手先装置６０において、記録用紙７１にウォーターマーク画像を付加した画像データを記録する期日が制限されているか否かの設定を示すデータである。つまり、後述するマーク添付開始日時データにおいて、ウォーターマークの添付を開始する日時が規定されている場合、「期日制限：有」に設定される。
【００７７】
そして、マーク構成データは、相手先の記録用紙７１に記録されるウォーターマーク画像の構成態様を示すデータである。このマーク構成データは、ウォーターマークを構成する「文字列」「フォント」「サイズ」「カラー情報」「コード情報」を有しており、これらのデータにより、ウォーターマーク画像の構成態様が規定される。又、マーク構成データは、「位置情報Ｘ」「位置情報Ｙ」「角度情報」を有しており、これらのデータに基づいて、記録用紙７１上におけるウォーターマーク画像の配置態様が決定される。
【００７８】
マーク添付開始日時データは、相手先の記録用紙７１において、ウォーターマーク画像の記録を開始する日時を規定したデータである。即ち、相手先受信日時が当該マーク添付開始日時データの示す日時を超過している場合、相手先の記録用紙７１には、ウォーターマーク画像が合成された合成画像データが記録される。
【００７９】
尚、マーク添付開始日時データは、ウォーターマークの添付を開始する日時のみを規定する態様に限定されるものではない。即ち、ウォーターマークの添付を終了する日時を規定することも可能であるし、ウォーターマークの添付開始日時及び添付終了日時を規定する（即ち、ウォーターマークの添付期間を規定する）ことも可能である
【００８０】
又、図５に示すような、無線タグデータに含まれるウォーターマークに関する各種データは、例えば、パーソナルコンピュータにおいて送信原稿６１を作成した際に、ユーザ設定画面を介して指定することが可能である。例えば、特開２００１−３２８３２５号公報にユーザ設定画面、及びその設定方法が開示されている。そして、指定されたウォーターマークに関する情報は、ファクシミリ装置１のレーザプリンタ３０により送信原稿６１が記録紙に印刷されることに伴って、無線タグライタ１６により当該記録紙の無線タグ６２に書き込まれる。このようにして、本実施形態における無線タグ６２にウォーターマークデータが書き込まれた送信原稿６１が生成される。
【００８１】
次に、本実施形態に係るファクシミリ装置１のファックス送信処理プログラムについて、図面を参照しつつ詳細に説明する。図６は、ファックス送信処理プログラムのフローチャートである。尚、このファックス送信処理プログラムは、操作パネル１７による送信原稿６１の相手先の入力及びスタートキーの操作に基づいて実行される。又、送信原稿６１の画像データに対して、ウォーターマークを付加する場合を例として説明する。
【００８２】
ファックス送信処理プログラムの実行を開始すると、ＣＰＵ１１は、先ず、送信データ読取処理（Ｓ１）を実行する。この送信データ読取処理（Ｓ１）では、ＣＰＵ１１は、後述する送信データ読取処理プログラム（図７参照）を実行する。具体的には、ＣＰＵ１１は、送信原稿６１の画像データの読取、当該送信原稿６１に係る無線タグ６２からの無線タグデータの読取を行う。
尚、送信データ読取処理プログラムについては、後に図面を参照しつつ詳細に説明する。
【００８３】
Ｓ２に移行すると、ＣＰＵ１１は、送信データ読取処理（Ｓ１）の結果に基づいて、送信原稿６１に無線タグデータがあるか否かを判断する。無線タグデータが存在する場合（Ｓ２：ＹＥＳ）、ＣＰＵ１１は、Ｓ４に処理を移行する。一方、無線タグデータが存在しない場合（Ｓ２：ＮＯ）、ＣＰＵ１１は、通常ファックス送信処理（Ｓ３）に移行する。
【００８４】
通常ファックス送信処理（Ｓ３）においては、ＣＰＵ１１は、スキャナ部３で取得した画像データのみを相手先装置６０に送信する。この通常ファックス送信処理（Ｓ３）については、既に公知の処理であるため、詳細な説明は省略する。通常ファックス送信処理（Ｓ３）を終了すると、ＣＰＵ１１は、ファックス送信処理プログラムを終了する。
【００８５】
送信データ読取手段の結果、送信原稿６１に無線タグデータが存在すると判断されると、ＣＰＵ１１は、無線タグデータにウォーターマークデータが含まれているか否かを判断する（Ｓ４）。ウォーターマークデータが含まれている場合（Ｓ４：ＹＥＳ）、ＣＰＵ１１は、Ｓ６に処理を移行する。一方、ウォーターマークデータが含まれていない場合（Ｓ４：ＮＯ）、ＣＰＵ１１は、その他のファックス送信処理（Ｓ５）を実行する。
尚、Ｓ５においては、無線タグデータに含まれている他のデータに基づくファックス送信処理が行われる。Ｓ５の処理を終了すると、ＣＰＵ１１は、ファックス送信処理プログラムを終了する。
【００８６】
Ｓ６に移行すると、ＣＰＵ１１は、送信データ読取処理（Ｓ１）で取得したウォーターマークデータのマーク添付開始日時データを参照し、相手先の記録用紙７１にウォーターマークを記録させるか否かを判断する。即ち、ＣＰＵ１１は、送信原稿６１の画像データと共に、ウォーターマークデータを送信するか否かを決定する。
【００８７】
タイマ２６より、現在の日時の情報を取得し、現在の日時が、マーク添付開始日時データが示すマーク添付開始日時を経過している場合（Ｓ６：ＹＥＳ）、ＣＰＵ１１は、Ｓ７に処理を移行する。一方、未だマーク添付開始日時を経過していない場合（Ｓ６：ＮＯ）、ＣＰＵ１１は、通常ファックス送信処理（Ｓ１０）に処理を移行する。この通常ファックス送信処理（Ｓ１０）は、上述したＳ４と同一の処理であり、送信原稿６１の画像データのみを相手先装置６０に送信する処理である。
通常ファックス送信処理（Ｓ１０）を終了すると、ＣＰＵ１１は、ファックス送信処理プログラムを終了する。
【００８８】
Ｓ７に移行すると、ＣＰＵ１１は、当該送信原稿６１に係る画像データに、ウォーターマークデータに基づくウォーターマーク画像データを合成した合成画像データとして相手先へ送信するか否かを判断する。具体的には、ＣＰＵ１１は、送信データ読取処理（Ｓ１）で取得したウォーターマークデータの「マーク合成設定」を参照し、Ｓ７の判断を行う。
【００８９】
「マーク合成設定」が合成画像データの送信を示す「合成設定」である場合（Ｓ７：ＹＥＳ）、ＣＰＵ１１は、ウォーターマーク合成送信処理（Ｓ８）に処理を移行する。ウォーターマーク合成送信処理（Ｓ８）では、ＣＰＵ１１は、送信原稿６１の画像データ、ウォーターマークデータに基づくウォーターマーク画像データから合成画像データを生成し、当該合成画像データを指定された相手先装置６０に送信する。その後、合成画像データをファクシミリデータ６３として送信した後、ＣＰＵ１１は、ファックス送信処理プログラムを終了する。
尚、ウォーターマーク合成送信処理（Ｓ８）については後に図面を参照しつつ、詳細に説明する。
【００９０】
一方、「マーク合成設定」が「合成設定」ではない場合（Ｓ７：ＮＯ）、即ち、「非合成設定」が設定されている場合、ＣＰＵ１１は、ウォーターマーク非合成送信処理（Ｓ９）を実行する。ウォーターマーク非合成送信処理（Ｓ９）では、ＣＰＵ１１は、合成画像データを生成せずに、ファクシミリデータ６３として、画像データ及び無線タグデータを相手先装置６０に送信する。相手先装置６０に送信した後、ＣＰＵ１１は、ファックス送信処理プログラムを終了する。
尚、ウォーターマーク非合成送信処理（Ｓ９）についても、後に図面を参照しつつ、詳細に説明する。
【００９１】
次に、ファックス送信処理プログラムのＳ１で実行される送信データ読取処理プログラムについて、図面を参照しつつ詳細に説明する。図７は、送信データ読取処理プログラムのフローチャートである。
送信データ読取処理（Ｓ１）に移行すると、ＣＰＵ１１は、先ずＲＡＭ１３のカウンタＮの値を「０」に初期化し（Ｓ１１）、現在のカウンタＮの値に「１」を加算する（Ｓ１２）。次に、ＣＰＵ１１は、自動原稿送り装置２により、原稿載置部２Ａに載置されている送信原稿６１の１ページをスキャナ部３の読取位置へ搬送する。
【００９２】
その後、Ｓ１３においては、ＣＰＵ１１は、当該送信原稿６１に付加されている無線タグ６２に格納されている無線タグデータを検出したか否かを判断する。具体的には、ＣＰＵ１１は、スキャナ部３の読取位置への移動経路近傍に配設されている無線タグリーダ１５により、無線タグデータの有無を判断する。無線タグデータを検出した場合（Ｓ１３：ＹＥＳ）、ＣＰＵ１１は、Ｓ１４に処理を移行する。一方、無線タグデータを検出しなかった場合（Ｓ１３：ＮＯ）、ＣＰＵ１１は、Ｓ１５に処理を移行する。
尚、「無線タグデータを検出しなかった場合」には、「送信原稿６１に無線タグ６２が付加されていない場合」が含まれる。
【００９３】
Ｓ１４に移行すると、ＣＰＵ１１は、無線タグリーダ１５により、検出した無線タグデータを読み取り、ＲＡＭ１３に格納する。この時、ＣＰＵ１１は、無線タグデータのデータサイズを検出し、送信無線タグデータサイズ記憶エリア１３２に記憶する。その後、ＣＰＵ１１は、Ｓ１５に処理を移行する。
【００９４】
Ｓ１５においては、ＣＰＵ１１は、画像データ読取処理を実行する。画像データ読取処理（Ｓ１５）では、ＣＰＵ１１は、スキャナ部３により送信原稿６１の画像データを読み取る。１ページ分の送信原稿６１の画像データを取得するまで（Ｓ１６：ＮＯ）、ＣＰＵ１１は、スキャナ部３による画像データの取得を継続する。そして、１ページ分の送信原稿６１の画像データを取得すると（Ｓ１６：ＹＥＳ）、ＣＰＵ１１は、Ｓ１７に処理を移行する。
【００９５】
Ｓ１７では、ＣＰＵ１１は、データ符号化処理を実行する。具体的には、ＣＰＵ１１は、１ページ分の送信原稿６１から取得した無線タグデータ及び画像データを、符号化部２３により、ファクシミリ送信に適した方式に符号化する。そして、ＣＰＵ１１は、符号化したデータを、ファクシミリデータ６３として、送信ファクシミリデータ記憶エリア１３１に格納する。データ符号化処理を終了すると、ＣＰＵ１１は、Ｓ１８に処理を移行する。
【００９６】
Ｓ１８に移行すると、ＣＰＵ１１は、原稿載置部２Ａに載置された送信原稿６１を全ページ読み取ったか否かを判断し、未だ全ページを読み取っていない場合（Ｓ１８：ＮＯ）、Ｓ１２に処理を戻す。これにより、送信原稿６１の次のページに係る画像データ、無線タグデータの取得処理が行われる。一方、全ページ分の読取を完了している場合（Ｓ１８：ＹＥＳ）、ＣＰＵ１１は、送信データ読取処理プログラムを終了し、ファックス送信処理プログラムのＳ２に処理を移行する。
この時点で、ＲＡＭ１３内の送信無線タグデータサイズ記憶エリア１３２には、送信原稿６１の無線タグのデータサイズが記憶され、送信ファクシミリデータ記憶エリア１３１には、送信原稿６１の画像データと無線タグデータとからなるファクシミリデータ６３が記憶されている。
【００９７】
次に、ファックス送信処理のＳ８で実行されるウォーターマーク合成送信処理プログラムについて、図面を参照しつつ詳細に説明する。図８は、ウォーターマーク合成送信処理プログラムのフローチャートである。
【００９８】
ウォーターマーク合成送信処理（Ｓ８）に移行すると、ＣＰＵ１１は、先ず、合成フラグをセットし、ＲＡＭ１３に格納する（Ｓ２１）。この合成フラグは、ウォーターマーク画像データと、スキャナ部３で取得した画像データを合成した合成画像データを送信することを示すフラグである。合成フラグをセットした後、ＣＰＵ１１は、Ｓ２２に処理を移行する。
【００９９】
Ｓ２２に移行すると、ＣＰＵ１１は、画像データ復号化処理を実行する。画像データ復号化処理（Ｓ２２）では、ＣＰＵ１１は、送信ファクシミリデータ記憶エリア１３１から１ページ分のファクシミリデータ６３の画像データ部分を読み出し、復号化部２４により、符号化されている当該画像データを復号化する。画像データを復号化した後、ＣＰＵ１１は、Ｓ２３に処理を移行する。
【０１００】
Ｓ２３では、ＣＰＵ１１は、ウォーターマーク画像合成処理を実行する。このウォーターマーク画像合成処理（Ｓ２３）は、複合化された１ページ分の画像データに対して、ウォーターマーク画像データを合成し、合成画像データを生成する処理である。具体的には、ＣＰＵ１１は、無線タグデータに含まれるマーク構成データに基づいて、ウォーターマーク画像データを生成し、当該ウォーターマーク画像データと、復号化された画像データを合成する。合成画像データを生成した後、ＣＰＵ１１は、Ｓ２４に処理を移行する。
【０１０１】
そして、Ｓ２４に移行すると、ＣＰＵ１１は、合成画像データ符号化処理（Ｓ２４）を実行する。具体的には、ＣＰＵ１１は、ウォーターマーク画像合成処理（Ｓ２３）で生成された合成画像データを符号化部２３により、ファクシミリ送信に適した方式に符号化する。そして、ＣＰＵ１１は、符号化したデータを、ファクシミリデータ６３として、送信ファクシミリデータ記憶エリア１３１に再度格納する。合成画像データ符号化処理（Ｓ２４）を終了すると、ＣＰＵ１１は、Ｓ２５に処理を移行する。
【０１０２】
Ｓ２５に移行すると、ＣＰＵ１１は、全ページ分のファクシミリデータ６３に対する処理を完了したか否かを判断し、未だ全ページ分の処理を完了していない場合（Ｓ２５：ＮＯ）、Ｓ２２に処理を戻す。これにより、ファクシミリ装置１では、次のページ分のデータに係る処理が行われる。一方、全ページ分の処理を完了している場合（Ｓ２５：ＹＥＳ）、ＣＰＵ１１は、Ｓ２６に処理を移行する。
【０１０３】
Ｓ２６では、ＣＰＵ１１は、ウォーターマークファックス送信処理を実行する。ウォーターマークファックス送信処理（Ｓ２６）では、相手先装置６０が所定の条件を満たす場合に、ＣＰＵ１１は、合成画像データに基づくファクシミリデータ６３を送信する。ファクシミリデータ６３を送信した後、ＣＰＵ１１は、ウォーターマーク合成送信処理プログラムを終了し、ファックス送信処理プログラムに処理を戻す。
尚、このウォーターマークファックス送信処理（Ｓ２６）については、後に図面を参照しつつ詳細に説明するので、ここでの説明は省略する。
【０１０４】
次に、ファックス送信処理のＳ９で実行されるウォーターマーク非合成送信処理プログラムについて、図面を参照しつつ詳細に説明する。図９は、ウォーターマーク非合成送信処理プログラムのフローチャートである。
【０１０５】
ウォーターマーク非合成送信処理（Ｓ９）に移行すると、ＣＰＵ１１は、先ず、非合成フラグをセットし、ＲＡＭ１３に格納する（Ｓ３１）。この非合成フラグは、ウォーターマーク合成送信処理（Ｓ８）のように、合成画像データを生成することなく、送信原稿６１に係る画像データ及び無線タグデータ（ウォーターマークデータを含む）をそのまま送信することを示すフラグである。非合成フラグをセットした後、ＣＰＵ１１は、Ｓ３２に処理を移行する。
【０１０６】
Ｓ３２に移行すると、ＣＰＵ１１は、ウォーターマークファックス送信処理を実行する。ウォーターマークファックス送信処理（Ｓ３２）では、ＣＰＵ１１は、Ｓ２６と同様に、ウォーターマークファックス送信処理プログラムを実行する。ウォーターマークファックス送信処理（Ｓ３２）の詳細については、後に図面を参照しつつ詳細に説明する。
ウォーターマークファックス送信処理（Ｓ３２）を終了すると、ＣＰＵ１１は、ウォーターマーク非合成送信処理プログラムを終了し、ファックス送信処理プログラムに処理を戻す。
【０１０７】
続いて、ウォーターマークファックス送信処理プログラムについて、図面を参照しつつ詳細に説明する。このウォーターマークファックス送信処理プログラムは、ウォーターマーク合成送信処理プログラムのＳ２６、ウォーターマーク非合成送信処理プログラムのＳ３２において、ＣＰＵ１１により実行される。図１０、図１１は、ウォーターマークファックス送信処理プログラムのフローチャートである。
【０１０８】
ウォーターマークファックス送信処理プログラムの実行が開始されると、先ず、ＣＰＵ１１は、先に操作パネル１７で入力された相手先にダイヤルし（Ｓ４１）、ファックス送信前処理（Ｓ４２）を実行する。このファックス送信前処理（Ｓ４２）では、ＣＰＵ１１は、相手先装置６０との間で、各種信号の送受信（例えば、ＣＩ信号、ＣＮＧ信号の送信やＮＳＦ信号の受信等）を行う。ファックス送信前処理（Ｓ４２）を終了すると、ＣＰＵ１１は、Ｓ４３に処理を移行する。
【０１０９】
Ｓ４３に移行すると、ＣＰＵ１１は、ＮＳＦ信号解析処理を実行する。ここで、「ＮＳＦ信号」は、受信側装置から送信側装置へ送出されるファクシミリ制御信号であって、相手先装置６０の非標準機能（即ち、ＩＴＵ規格で定められた機能以外のメーカ独自の機能）を相手先装置６０からファクシミリ装置１へ通知する信号である。
【０１１０】
ＮＳＦ信号解析処理（Ｓ４３）においては、ＣＰＵ１１は、ファックス送信前処理（Ｓ４２）で相手先装置６０から受信したＮＳＦ信号を解析し、相手先装置６０が有する機能を特定する。具体的には、ＣＰＵ１１は、ＮＳＦ信号を解析することで、少なくとも、相手先装置６０における非標準機能の有無、無線タグデータ記録能力の有無、ＥＣＭ（Ｅｒｒｏｒ  Ｃｏｒｒｅｃｔｉｏｎ  Ｍｏｄｅ）機能の有無、カラー記録能力の有無を特定する。ＮＳＦ信号解析処理（Ｓ４３）の終了後、ＣＰＵ１１は、Ｓ４４に処理を移行する。
【０１１１】
Ｓ４４に移行すると、ＣＰＵ１１は、ＮＳＦ信号解析処理（Ｓ４３）の解析結果に基づいて、相手先装置６０に非標準機能があるか否かを判断する。相手先装置６０に非標準機能がある場合（Ｓ４４：ＹＥＳ）、ＣＰＵ１１は、Ｓ４５に処理を移行する。一方、相手先装置６０に非標準機能が存在せず、ＩＴＵ規格で定められた所定の機能のみ有している場合（Ｓ４４：ＮＯ）、ＣＰＵ１１は、Ｓ４９に処理を移行する。
【０１１２】
Ｓ４５においては、ＣＰＵ１１は、ＮＳＦ信号解析処理（Ｓ４３）の解析結果に基づいて、相手先装置６０に「無線タグ記録能力」があるか否かを判断する。ここで、「無線タグ記録能力」とは、「無線タグデータを受信し、無線タグへの書き込む能力」をいう。相手先装置６０に「無線タグ記録能力」がある場合（Ｓ４５：ＹＥＳ）、ＣＰＵ１１は、Ｓ４６に処理を移行する。一方、相手先装置６０に「無線タグ記録能力」がない場合（Ｓ４５：ＮＯ）、ＣＰＵ１１は、Ｓ４９に処理を移行する。
【０１１３】
Ｓ４６では、ＣＰＵ１１は、ＮＳＦ信号解析処理（Ｓ４３）の解析結果に基づいて、相手先装置６０に「ＥＣＭ機能」があるか否かを判断する。ここで、「ＥＣＭ機能」とは、「データ送信時に障害が生じた場合に送信元（この場合、ファクシミリ装置１）に対して、当該送信原稿データの再送信を要求する機能」をいう。相手先装置６０に「ＥＣＭ機能」がある場合（Ｓ４６：ＹＥＳ）、ＣＰＵ１１は、Ｓ４７に処理を移行する。一方、相手先装置６０に「ＥＣＭ機能」がない場合（Ｓ４６：ＮＯ）、ＣＰＵ１１は、Ｓ４９に処理を移行する。
【０１１４】
尚、Ｓ４４、Ｓ４５、Ｓ４６の判断処理の結果、Ｓ４９に移行した場合におけるＳ４９以後の処理については、後に図面を参照しつつ詳細に移行する。
【０１１５】
Ｓ４７に移行すると、ＣＰＵ１１は、相手先装置６０に「ＮＳＳ信号」を送信する。ここで、この「ＮＳＳ信号」は、各ファクシミリデータ６３に含まれる無線タグデータのサイズ６４を示すサイズ情報を含んでいる。従って、「ＮＳＳ信号」を相手先装置６０に通知することで、ファクシミリ装置１は、ファクシミリデータ６３に係る無線タグデータが含まれていること、更に、そのサイズ情報を相手先装置６０に通知することができる。これにより、相手先装置６０では、無線タグデータと画像データを区分することができる。
【０１１６】
その後、ＣＰＵ１１は、無線タグデータ送信処理（Ｓ４８）を実行する。即ち、ＣＰＵ１１は、送信ファクシミリデータ記憶エリア１３１に格納されている１ページ分のファクシミリデータ６３の内、無線タグデータに相当するデータを相手先装置６０に送信する。
無線タグデータ送信処理（Ｓ４８）を終了すると、ＣＰＵ１１は、Ｓ６１に処理を移行する。
【０１１７】
Ｓ６１に移行すると、ＣＰＵ１１は、当該ファクシミリデータ６３の送信が「カラー送信」であるか否かを判断する。ウォーターマークデータにおける「カラー情報」で「フルカラー」が設定されている場合、ＣＰＵ１１は、「カラー送信」と判断する。「カラー送信」である場合（Ｓ６１：ＹＥＳ）、ＣＰＵ１１は、Ｓ６２に処理を移行する。一方、「カラー送信」ではない場合（Ｓ６１：ＮＯ）、ＣＰＵ１１は、当該ファクシミリデータ６３は、モノクロ設定であるため、そのままＳ６４に処理を移行する。
【０１１８】
Ｓ６２に移行すると、ＣＰＵ１１は、ＮＳＦ信号解析処理（Ｓ４３）の解析結果に基づいて、相手先装置６０にカラー記録能力があるか否かを判断する。相手先装置６０にカラー記録能力がある場合（Ｓ６２：ＹＥＳ）、ＣＰＵ１１は、そのままＳ６４に処理を移行する。この場合、当該ファクシミリデータ６３には、カラー情報（例えば、フルカラー等）による色彩の指定が設定されている。一方、相手先装置６０にカラー記録能力がない場合（Ｓ６２：ＮＯ）、ＣＰＵ１１は、Ｓ６３に処理を移行する。
【０１１９】
そして、Ｓ６３では、ＣＰＵ１１は、モノクロ変換処理を実行する。このモノクロ変換処理（Ｓ６３）では、色彩が指定されているカラー情報を、彩度のみを指定するカラー情報に変換することにより、カラー画像をモノクロ画像に変換する。モノクロ変換処理の詳細については、既に公知であるため、詳細な説明は省略する。モノクロ変換処理（Ｓ６３）の後、ＣＰＵ１１は、Ｓ６４に処理を移行する。
【０１２０】
Ｓ６４に移行すると、ＣＰＵ１１は、送信ファクシミリデータ記憶エリア１３１に格納されている１ページ分のファクシミリデータ６３を相手先装置６０に送信する。データ送信処理（Ｓ６４）を終了すると、ＣＰＵ１１は、送信原稿６１の全てのページを相手先装置６０へ送信したか否かを判断する（Ｓ６５）。
【０１２１】
送信原稿６１の全ページを相手先装置６０に送信した場合（Ｓ６５：ＹＥＳ）、ＣＰＵ１１は、送信終了処理（Ｓ６６）に処理を移行する。一方、未だ送信原稿６１の全ページ分を相手先装置６０に送信していない場合（Ｓ６５：ＮＯ）、ＣＰＵ１１は、Ｓ４８に処理を戻し、次のページに係る送信原稿６１の送信処理を行う。即ち、この場合においては、無線タグデータ送信処理（Ｓ４８）により、次のページに係る無線タグデータが相手先へ送信され、次いで、対応する画像データがカラー画像又はモノクロ画像として相手先へ送信される。
【０１２２】
ここで、Ｓ４９に移行した場合について、図１１を参照しつつ詳細に説明する。
Ｓ４９に移行した場合、ＣＰＵ１１は、ＲＡＭ１３に合成フラグが格納されているか否かを判断する。「合成フラグ」が格納されている場合（Ｓ４９：ＹＥＳ）、ＣＰＵ１１は、Ｓ５６に処理を移行する。一方、「非合成フラグ」がＲＡＭ１３に格納されている場合（Ｓ４９：ＮＯ）、ＣＰＵ１１は、Ｓ５０に処理を移行する。
【０１２３】
ここで、Ｓ４９に移行する場合とは、「相手先装置６０が一般的な機能のみを有する場合（Ｓ４４：ＮＯ）」「相手先装置６０に無線タグ記録能力がない場合（Ｓ４５：ＮＯ）」「相手先装置６０にＥＣＭ機能がない場合（Ｓ４５：ＮＯ）」である。即ち、これらは何れも、相手先装置６０の機能により、画像データ及び無線タグデータで構成されたファクシミリデータ６３を送信すると、当該データ通信に障害が生じる蓋然性がある場合である。
【０１２４】
本実施形態に係るファクシミリ装置１においては、上記のような相手先装置６０の機能に基づいて、ユーザの意図したデータ送信が困難な場合における送信の可否を設定しうる。即ち、ユーザは、このような場合における通信の可否を「通信続行設定」と「通信キャンセル設定」から選択して予め設定しておくことができる。これらの設定は、例えば、ファクシミリ機能についてのメニュー設定の中で設定することができ、設定された内容は、ファクシミリ装置１のフラッシュメモリ１４に格納される。
【０１２５】
「通信続行設定」は、上記のような場合であっても、相手先装置６０において、ユーザの意図した態様の画像が記録用紙７１に記録されるようにファクシミリデータ６３を変換して送信する設定である。一方、「通信キャンセル設定」は、ユーザの意図したデータ送信が困難な場合は、当該送信原稿６１に係るデータ送信をキャンセルする設定である。
【０１２６】
「非合成フラグ」が格納され（Ｓ４９：ＮＯ）、Ｓ５０に移行すると、ＣＰＵ１１は、フラッシュメモリ１４を参照し、「通信続行設定」が設定されているか否かを判断する。「通信続行設定」が設定されている場合（Ｓ５０：ＹＥＳ）、ＣＰＵ１１は、Ｓ５２に処理を移行する。一方、「通信キャンセル設定」が設定されている場合（Ｓ５０：ＮＯ）、ＣＰＵ１１は、通信キャンセル処理（Ｓ５１）を実行する。この通信キャンセル処理（Ｓ５１）では、ＣＰＵ１１は、送信ファクシミリデータ記憶エリア１３１の記憶内容の消去等の各種処理を行う。通信キャンセル処理（Ｓ５１）を終了すると、ＣＰＵ１１は、送信終了処理（Ｓ６６）に処理を移行する（図１０参照）。
【０１２７】
一方、Ｓ５２に移行すると、ＣＰＵ１１は、画像データ復号化処理を実行する。この画像データ復号化処理（Ｓ５２）は、ウォーターマーク合成送信処理プログラムのＳ２２と同様の処理である。同様に、ウォーターマーク合成処理（Ｓ５３）、合成画像データ符号化処理（Ｓ５４）は、夫々、ウォーターマーク合成送信処理プログラムのＳ２３、Ｓ２４と同様の処理である。従って、Ｓ５２、Ｓ５３、Ｓ５４についての詳細な説明は省略する。
【０１２８】
即ち、Ｓ５２〜Ｓ５４の処理を実行することにより、１ページ分のファクシミリデータ６３は、無線タグデータと画像データとで構成されている態様から、合成画像データにより構成される態様に変換される。そして、合成画像データに変換することにより、「一般的な機能のみ」を有する相手先装置６０、「無線タグ記録能力」がない相手先装置６０、「ＥＣＭ機能」がない相手先装置６０であっても、相手先の記録用紙７１に、ウォーターマーク画像が付加された画像を記録することができる。
【０１２９】
合成画像データ符号化処理（Ｓ５４）を終了した後、Ｓ５５に移行すると、ＣＰＵ１１は、全ページ分のファクシミリデータ６３に対する処理を完了したか否かを判断し、未だ全ページ分の処理を完了していない場合（Ｓ５５：ＮＯ）、Ｓ５２に処理を戻す。これにより、ファクシミリ装置１では、次のページ分のデータに係る処理が行われる。一方、全ページ分の処理を完了している場合（Ｓ５５：ＹＥＳ）、ＣＰＵ１１は、Ｓ５６に処理を移行する。
【０１３０】
Ｓ５６に移行すると、ＣＰＵ１１は、当該ファクシミリデータ６３の送信が「カラー送信」であるか否かを判断する。この点、Ｓ５６の処理は、上述したＳ６３と同様の処理である。「カラー送信」である場合（Ｓ５６：ＹＥＳ）、ＣＰＵ１１は、Ｓ５７に処理を移行する。一方、「カラー送信」ではない場合（Ｓ５６：ＮＯ）、ＣＰＵ１１は、そのままＳ５９に処理を移行する。
【０１３１】
Ｓ５７に移行すると、ＣＰＵ１１は、相手先装置６０にカラー記録能力があるか否かを判断する。このＳ５７の判断処理は、Ｓ６２と同様の処理である。相手先装置６０にカラー記録能力がある場合（Ｓ５７：ＹＥＳ）、ＣＰＵ１１は、そのままＳ５９に処理を移行する。一方、相手先装置６０にカラー記録能力がない場合（Ｓ５７：ＮＯ）、ＣＰＵ１１は、Ｓ５８に処理を移行する。
【０１３２】
そして、Ｓ５８では、ＣＰＵ１１は、モノクロ変換処理を実行する。このモノクロ変換処理（Ｓ５８）は、上述したモノクロ変換処理（Ｓ６３）と同様の処理である。従って、モノクロ変換処理（Ｓ５８）に関する詳細な説明は省略する。モノクロ変換処理（Ｓ５８）の後、ＣＰＵ１１は、Ｓ５９に処理を移行する。
【０１３３】
Ｓ５９に移行すると、ＣＰＵ１１は、データ送信処理（Ｓ５９）を実行する。データ送信処理は、上述したデータ送信処理（Ｓ６４）と同様であるが、この場合には、合成画像データで構成された１ページ分のファクシミリデータ６３が送信される。
【０１３４】
データ送信処理（Ｓ５９）を終了すると、ＣＰＵ１１は、送信原稿６１の全てのページを相手先装置６０へ送信したか否かを判断する（Ｓ６０）。送信原稿６１の全ページを相手先装置６０に送信した場合（Ｓ６０：ＹＥＳ）、ＣＰＵ１１は、送信終了処理（Ｓ６６）に処理を移行する（図１０参照）。一方、未だ送信原稿６１の全ページ分を相手先装置６０に送信していない場合（Ｓ６０：ＮＯ）、ＣＰＵ１１は、Ｓ５６に処理を戻し、次のページに係る送信原稿６１の送信処理（Ｓ５６〜Ｓ５９）を行う。この場合においても、合成画像データで構成されたファクシミリデータ６３が相手先へ送信される。
【０１３５】
送信原稿６１の全ページ分のファクシミリデータ６３の送信を完了すると（Ｓ６０：ＹＥＳ、Ｓ６５：ＹＥＳ）、ＣＰＵ１１は、ファクシミリ送信の終了に必要な所定の送信終了処理（Ｓ６６）を実行し、ウォーターマークファックス送信処理プログラムを終了する。
【０１３６】
次に、本実施形態に係るファクシミリ装置１のファックス受信処理プログラムについて、図面を参照しつつ詳細に説明する。図１２は、ファックス受信処理プログラムのフロ−チャートである。
【０１３７】
先ず、Ｓ１０１において、ＣＰＵ１１は、呼出信号（ＣＩ信号）を検出したか否かを判断し、ＣＰＵ１１は、呼出信号を検出するまで処理を待機する（Ｓ１０１：ＮＯ）。そして、呼出信号を検出すると（Ｓ１０１：ＹＥＳ）、ＣＰＵ１１は、着信処理（Ｓ１０２）を実行する。
【０１３８】
着信処理（Ｓ１０２）終了後、ＣＰＵ１１は、ファックス受信前処理（Ｓ１０３）を実行する。ファックス受信前処理（Ｓ１０３）では、ＣＰＵ１１は、送信元ファクシミリ装置との間で各種信号の送受信及び信号に伴う制御処理を行う。例えば、ＣＰＵ１１は、ＣＮＧ信号を受信しなかった場合、通常の電話による通話処理を行う。
ファックス受信前処理（Ｓ１０３）の後、ＣＰＵ１１は、Ｓ１０４に処理を移行する。
【０１３９】
Ｓ１０４においては、ＣＰＵ１１は、送信元ファクシミリ装置に対して、ＮＳＦ信号を送信する。上述したように、ＮＳＦ信号は、当該ファクシミリ装置１が有する機能（例えば、無線タグ記録能力の有無、ＥＣＭ機能の有無等）を示す信号である。ＮＳＦ信号を送信すると、ＣＰＵ１１は、Ｓ１０５に処理を移行する。
【０１４０】
その後、ＣＰＵ１１は、送信元ファクシミリ装置からの「ＮＳＳ信号」を受信するまで、処理を待機する。送信元ファクシミリ装置から「ＮＳＳ信号」を受信すると、ＣＰＵ１１は、「ＮＳＳ信号」に含まれる無線タグデータに関するサイズ情報を取得し、サイズ情報記憶エリア１３５（図２参照）に格納する（Ｓ１０５）。
【０１４１】
Ｓ１０６に移行すると、ＣＰＵ１１は、「ＮＳＳ信号」に含まれるサイズ情報に基づいて、受信データに無線タグデータが含まれているか否かを判断する。受信データに無線タグデータが含まれている場合（Ｓ１０６：ＹＥＳ）、ＣＰＵ１１は、Ｓ１０７に処理を移行する。一方、受信データに無線タグデータが含まれていない場合（Ｓ１０６：ＮＯ）、ＣＰＵ１１は、Ｓ１０９に処理を移行する。
【０１４２】
受信データに無線タグデータが含まれている場合（Ｓ１０６：ＹＥＳ）、ＣＰＵ１１は、受信データとして、送信元ファクシミリ装置から先に送信される無線タグデータの受信を開始する（Ｓ１０７）。そして、ＣＰＵ１１は、受信データを上記サイズ情報が示す所定サイズ分受信するまで（Ｓ１０８：ＮＯ）、受信データを「無線タグデータ」として受信する。所定サイズ分のデータを受信すると（即ち、無線タグデータの受信を終了すると）、ＣＰＵ１１は、Ｓ１０９に処理を移行する。
【０１４３】
Ｓ１０９では、ＣＰＵ１１は、画像データ受信処理を実行する。画像データ受信処理（Ｓ１０９）では、ＣＰＵ１１は、受信データとして、無線タグデータの後に続いて送信される画像データを受信しつつ、受信ファクシミリデータ記憶エリア１３４に格納する。そして、１ページ分の画像データを受信するまで（Ｓ１１０：ＹＥＳ）、ＣＰＵ１１は、画像データの受信を行う。画像データの受信を完了すると、ＣＰＵ１１は、Ｓ１１１に処理を移行する。
【０１４４】
尚、本実施形態においては、ページ単位で受信データの受信を行いつつ、サイズ情報に基づいて、無線タグデータと、画像データとの区分を行っているが、この態様に限定するものではない。即ち、受信データを全て受信した後、サイズ情報に従って、無線タグデータと、画像データを区分するように構成することも可能である。
【０１４５】
Ｓ１１１に移行すると、ＣＰＵ１１は、全ページ分の受信データの受信を完了したか否かを判断する。全ページ分の受信データを受信した場合（Ｓ１１１：ＹＥＳ）、ＣＰＵ１１は、受信終了処理（Ｓ１１２）を実行し、受信データの受信を終了すると共に、Ｓ１１３に処理を移行する。一方、未だ全ページ分の受信データの受信を完了していない場合（Ｓ１１１：ＮＯ）、ＣＰＵ１１は、Ｓ１０６に処理を戻し、次のページに係る受信データの受信を継続する。
【０１４６】
Ｓ１１３においては、ＣＰＵ１１は、受信データ記録処理を実行する。即ち、ＣＰＵ１１は、受信データ記録処理プログラムを実行し、受信データを記録用紙７１に記録する。この受信データ記録処理プログラムについては、後に詳細に説明する。そして、受信データ記録処理（Ｓ１１３）を終了すると、ＣＰＵ１１は、ファックス受信処理プログラムを終了する。
【０１４７】
続いて、ファックス受信処理プログラムのＳ１１３で実行される受信データ記録処理プログラムについて、図面を参照しつつ詳細に説明する。図１３は、受信データ記録処理プログラムのフローチャートである。
【０１４８】
受信データ記録処理（Ｓ１１３）に移行すると、ＣＰＵ１１は、受信データ記録処理プログラムを実行する。この時、ＣＰＵ１１は、先ず、受信ファクシミリデータ記憶エリア１３４を参照し、無線タグデータの受信があったか否かを判断する（Ｓ１２１）。無線タグデータを受信した場合（Ｓ１２１：ＹＥＳ）、ＣＰＵ１１は、Ｓ１２２に処理を移行する。一方、無線タグデータを受信していない場合（Ｓ１２１：ＮＯ）、ＣＰＵ１１は、Ｓ１３０）に処理を移行する。
【０１４９】
Ｓ１２２に移行すると、ＣＰＵ１１は、当該無線タグデータにウォーターマークデータが含まれているか否かを判断する。即ち、ＣＰＵ１１は、受信ファクシミリデータ記憶エリア１３４を参照することで、Ｓ１２２に係る判断を行う。ウォーターマークデータが含まれている場合（Ｓ１２２：ＹＥＳ）、ＣＰＵ１１は、Ｓ１２３に処理を移行する。一方、ウォーターマークデータが含まれていない場合（Ｓ１２２：ＮＯ）、ＣＰＵ１１は、画像データ記録処理（Ｓ１３０）に処理を移行する。
【０１５０】
Ｓ１２３においては、ＣＰＵ１１は、ウォーターマークデータにマーク添付開始日時データが含まれているか否かを判断する。マーク添付開始日時データが含まれている場合（Ｓ１２３：ＹＥＳ）、ＣＰＵ１１は、Ｓ１２４に処理を移行する。一方、マーク添付開始日時データが含まれていない場合（Ｓ１２３：ＮＯ）、ＣＰＵ１１は、Ｓ１２５に処理を移行する。
【０１５１】
Ｓ１２４に移行すると、ＣＰＵ１１は、現在日時がマーク添付開始日時を超過しているか否かを判断する。具体的には、ＣＰＵ１１は、タイマ２６を参照することで、現在日時を取得する。そして、ＣＰＵ１１は、受信ファクシミリデータ記憶エリア１３４のマーク添付開始日時データを参照し、マーク添付開始日時を取得する。そして、ＣＰＵ１１は、現在日時とマーク添付開始日時を比較することにより、Ｓ１２４の判断を行う。
【０１５２】
現在日時がマーク添付開始日時を経過している場合（Ｓ１２４：ＹＥＳ）、ＣＰＵ１１は、受信データに係る画像データに対して、ウォーターマークデータが示すウォーターマーク画像を付加すべく、Ｓ１２５に処理を移行する。一方、現在日時がマーク添付開始日時を超過していない場合（Ｓ１２４：ＮＯ）、ＣＰＵ１１は、画像データ記録処理（Ｓ１３０）に処理を移行する。
【０１５３】
Ｓ１２５においては、ＣＰＵ１１は、ウォーターマーク画像展開処理を実行する。このウォーターマーク画像展開処理（Ｓ１２５）では、ＣＰＵ１１は、受信ファクシミリデータ記憶エリア１３４を参照し、ウォーターマークデータに含まれるマーク構成データ（図５参照）に基づいて、ウォーターマーク画像データを展開する。マーク構成データに基づくウォーターマーク画像データを展開した後、ＣＰＵ１１は、Ｓ１２６に処理を移行する。
【０１５４】
Ｓ１２６に移行すると、ＣＰＵ１１は、ウォーターマーク画像合成処理を実行する。即ち、ＣＰＵ１１は、受信データに係る画像データに対して、Ｓ１２５で展開したウォーターマーク画像データを合成し、合成画像データを生成する。合成画像データを生成した後、ＣＰＵ１１は、Ｓ１２７に処理を移行する。
【０１５５】
Ｓ１２７では、ＣＰＵ１１は、ウォーターマーク画像合成処理（Ｓ１２６）で生成された合成画像データを記録用紙７１に記録する。即ち、ＣＰＵ１１は、第１給紙トレイ５１〜第３給紙トレイ５３から記録用紙７１を搬送し、レーザプリンタ３０により、受信データに基づく合成画像データを当該記録用紙７１に記録する。記録用紙７１への記録を終了すると、ＣＰＵ１１は、記録した受信データを受信ファクシミリデータ記憶エリア１３４から消去し（Ｓ１２８）、Ｓ１２９に処理を移行する。
【０１５６】
Ｓ１２９に移行すると、ＣＰＵ１１は、全ページ分の受信データの記録を完了したか否かを判断する。全ページ分の受信データを記録した場合（Ｓ１２９：ＹＥＳ）、ＣＰＵ１１は、受信データ記録処理プログラムを終了する。一方、未だ全ページ分の受信データの記録を完了していない場合（Ｓ１２９：ＮＯ）、ＣＰＵ１１は、Ｓ１２１に処理を戻し、次のページに係る受信データの記録を開始する。
【０１５７】
ここで、Ｓ１３０においては、ＣＰＵ１１は、画像データ記録処理が実行される。この画像データ記録処理（Ｓ１３０）においては、ＣＰＵ１１は、レーザプリンタ３０によって、受信データとして受信ファクシミリデータ記憶エリア１３４に格納されている画像データを記録用紙７１に記録する。画像データを記録用紙７１に記録した後、ＣＰＵ１１は、Ｓ１２８に処理を移行する。この点、Ｓ１２８、Ｓ１２９については説明済であるので、再度の説明は省略する。
【０１５８】
尚、本実施形態に係るファクシミリ装置１において、ファクシミリデータ６３が画像データのみで構成されている場合（Ｓ１２１：ＮＯ）、ファクシミリデータ６３が合成画像データで構成されている場合（Ｓ１２２：ＮＯ）、未だマーク添付開始日時を経過していない場合（Ｓ１２３：ＮＯ）、この画像データ記録処理（Ｓ１３０）により記録用紙７１に画像が形成される。
【０１５９】
この点、ファクシミリデータ６３が画像データのみで構成されている場合（Ｓ１２１：ＮＯ）、未だマーク添付開始日時を経過していない場合（Ｓ１２３：ＮＯ）は、送信元ファクシミリ装置において、スキャナ部３で読み取られた送信原稿６１に基づく画像がそのまま記録用紙７１に記録される。
そして、ファクシミリデータ６３が合成画像データで構成されている場合（Ｓ１２２：ＮＯ）、送信元ファクシミリ装置で合成された合成画像データに基づく画像が記録用紙７１に記録される。
【０１６０】
以上説明したように、本実施形態のファクシミリ装置１によれば、無線タグリーダ１５で読み取られた無線タグデータにウォーターマークデータが含まれている場合、ウォーターマーク合成送信処理（Ｓ８）、ウォーターマークファックス送信処理（Ｓ２６、Ｓ３２）により、スキャナ部３で読み取られた送信原稿６１に基づく画像データと、ウォーターマークデータに基づくウォーターマーク画像データとを合成した合成画像データを生成することができ、当該合成画像データをファクシミリデータ６３として送信することができる。
【０１６１】
即ち、送信原稿６１の無線タグ６２にウォーターマークデータを書き込んでおくことにより、ファクシミリ送信時に、当該送信原稿に対して付加するウォーターマークの作成等の作業が不要となり、ユーザの作業負担を軽減できる。更に、当該ファクシミリ送信に要する作業時間を短縮できるので、他のユーザのファクシミリ送信の遅滞を防止しうる。
【０１６２】
又、ファクシミリ装置１は、ウォーターマーク非合成送信処理（Ｓ９）を実行することで、スキャナ部３で読み取られた送信原稿６１に基づく画像データと、ウォーターマークデータを含む無線タグデータをそのまま送信することができる。これにより、送信側のファクシミリ装置１において、合成画像データを生成しない場合であっても、受信側のファクシミリ装置１において、ウォーターマークが付加された画像を記録用紙７１に記録しうる。更に、この場合であっても、送信側ユーザは、送信原稿６１及び無線タグ６２の読取作業を実行するだけでよく、送信側ユーザの作業負担を軽減し、他のユーザのファクシミリ送信の遅滞を防止できる。
【０１６３】
更に、ファクシミリ装置１は、ウォーターマークファックス送信処理（Ｓ２６、Ｓ３２）により、相手先装置６０の無線タグ記録能力の有無に応じて、送信原稿６１に係るデータの送信態様を変更できる。即ち、ファクシミリデータ６３を合成画像データで構成して送信する態様と、画像データ及び無線タグデータを含むファクシミリデータ６３を送信する態様を適宜切り換えることができる。これにより、ウォーターマークデータの付加が設定されている送信原稿６１のデータを、相手先に確実に送信することができ、ユーザの意図に沿ったデータ送信が可能となる。
【０１６４】
又、ファクシミリ装置１は、ウォーターマークファックス送信処理（Ｓ２６、Ｓ３２）により、相手先装置６０におけるＥＣＭ機能の有無に応じて、ウォーターマークデータを含む送信原稿６１に係るデータ送信の態様を変更できる。これにより、送信原稿６１に係るデータは確実に相手先に送信されるので、ファクシミリ装置１は、送信原稿６１に係る情報をユーザ所望の態様で確実に管理しうる。
【０１６５】
そして、ファクシミリ装置１は、ウォーターマークファックス送信処理（Ｓ２６、Ｓ３２）により、相手先装置６０にＥＣＭ機能がない場合には、送信原稿６１に係るデータ送信をキャンセルすることができる。これにより、送信原稿６１に係る画像データのみが相手先へ送信されることはなく、ファクシミリ装置１は、送信原稿に係る画像データが示す情報の厳密な管理を実現しうる。
【０１６６】
更に、ファクシミリ装置１は、相手先装置６０にカラー記録能力の有無（Ｓ５７、Ｓ６２）に応じて、カラー情報により色彩が指定されているデータをモノクロデータに変換することができる（Ｓ５８、Ｓ６３）。これにより、ファクシミリ装置１は、相手先装置６０におけるカラー記録能力に関わらず、送信元ユーザの送信原稿６１に対する意図を相手先の記録用紙７１に十分に反映させることができ、送信元ユーザの意図する情報管理を行い得る。
【０１６７】
そして、ファクシミリ装置１は、タイマ２６と、マーク添付開始日時データに基づいて、ウォーターマークを付加する時期を管理することができる（Ｓ６、Ｓ１２３、Ｓ１２４）。これにより、当該ファクシミリ装置１は、送信原稿６１に基づく情報の重要性が時期に応じて変化する場合であっても、その情報の重要性に応じた情報管理を実現しうる。更に、送信原稿の送信を行う際に、ユーザが期限等を気にする必要がなく、マークの付加を忘れるといった誤送信を防止することができる。
【０１６８】
又、ファクシミリ装置１は、当該ファクシミリ装置１が相手先装置６０になった場合、受信データから無線タグデータ、画像データを区分することができる（Ｓ１０６〜Ｓ１１１）。そして、ファクシミリ装置１は、無線タグデータに含まれるウォーターマークデータと、画像データとを合成した合成画像データを生成し（Ｓ１２６）、当該合成画像データを記録用紙７１に記録することができる（Ｓ１２７）。即ち、ファクシミリ装置１は、送信元ユーザの意図に沿ったウォーターマークが付加された送信原稿の画像データを出力することができ、相手先装置６０側であっても、受信側装置において、送信元ユーザが意図した送信原稿６１に対する情報管理を実現しうる。
【０１６９】
以上、実施形態に基づき本発明を説明したが、本発明は上述した実施形態に何ら限定されるものではなく、本発明の趣旨を逸脱しない範囲内で種々の改良変更が可能である。
例えば、送信原稿６１に係るデータ送信を高速で送信する場合は、無線タグデータのみに対して、ＥＣＭ機能を有効化し、送信原稿６１に係るデータ送信を通常速度で送信する場合には、全てのデータに対して、ＥＣＭ機能を有効とするように構成できる。
【０１７０】
又、無線タグデータに含まれるウォーターマークデータをファクシミリ装置１において変更しうるように構成することも可能である。例えば、マーク添付開始日時データが示す日時をＬＣＤ１８に表示し、操作パネル１７により設定しうるように構成することも可能である。尚、ファクシミリ装置１を１人のユーザが占有する時間を短縮する必要が有るため、この場合の変更操作は、簡単な操作であることが望ましい。
【０１７１】
そして、本実施形態においては、当該ファクシミリ装置１が相手先装置６０となった場合、ウォーターマーク画像を画像データに合成するように構成していたが、受信した無線タグデータを無線タグ７２に格納するように構成することも可能である。これにより、受信した原稿の無線タグにウォーターマークデータが書き込まれるため、受信原稿を更にコピーしたり、ファクシミリ送信を行ったりする際に、そのウォーターマークデータを反映させることができる。
【０１７２】
更に、本実施形態においては、送信原稿６１と無線タグ６２を対応させ、１ページの送信原稿６１に係るウォーターマークの付加に係る設定は、当該送信原稿６１に係る無線タグデータに基づくように構成していたが、この態様に限定するものではない。例えば、送信原稿６１の最初の１ページの無線タグデータ（ウォーターマークデータ）を、全ページ分の送信原稿６１に対して適用するように構成することも可能である。
【０１７３】
さらに、本実施形態においては、記録用紙と無線タグとが一体に形成されている場合を例として説明したが、これに限定されるものではない。例えば、受信側の装置構成によっては、記録用紙と無線タグとが別体となっている場合も想定される。その場合、ファクシミリ受信処理で画像データとそれに対応する無線タグデータとが受信されると、画像データについては通常の記録用紙に記録され、無線タグデータについては別体の無線タグに書き込まれる。
【０１７４】
このような別体の無線タグは、ラベルのように裏面に接着部分を備えており、無線タグデータの書き込み後に自動、もしくは手動により対応する画像データが記録された記録用紙に添付されるような方式であってもよい。これによっても、結果的に、記録用紙に無線タグが付加された出力結果を得ることができる。同様に、送信側においても、原稿と無線タグとは必ずしも一体である必要はなく、ページ毎の対応が管理できていれば、別々に読み取られる構成であってもよい。
【図面の簡単な説明】
【０１７５】
【図１】本実施形態に係るファクシミリ装置の模式的な断面図を示す。
【図２】ファクシミリ装置の制御系構成を示すブロック図である。
【図３】（ａ）は、本実施形態に係るファクシミリ装置によるファクシミリ送受信を模式的に示す図であり、（ｂ）は、１ページ分のファクシミリデータを模式的に示す図である。
【図４】（ａ）は、無線タグの構成を示すブロック図であり、（ｂ）は、無線タグリーダ及び無線タグライタの構成を示すブロック図である。
【図５】無線タグデータの構成に関する説明図である。
【図６】ファックス送信処理を示すフローチャートである。
【図７】送信データ読取処理プログラムのフローチャートである。
【図８】ウォーターマーク合成送信処理プログラムのフローチャートである。
【図９】ウォーターマーク非合成送信処理プログラムのフローチャートである。
【図１０】ウォーターマークファックス送信処理プログラムのフローチャート（１）である。
【図１１】ウォーターマークファックス送信処理プログラムのフローチャート（２）である。
【図１２】ファックス受信処理を示すフローチャートである。
【図１３】受信データ記録処理プログラムのフローチャートである。
【符号の説明】
【０１７６】
１    ファクシミリ装置
３    スキャナ部
１１  ＣＰＵ
１２  ＲＯＭ
１３  ＲＡＭ
１４  フラッシュメモリ
１５  無線タグリーダ
１７  操作パネル
１９  ＮＣＵ
２０  モデム
２１  バッファ
２２  スキャナ装置
２６  タイマ
３０  レーザプリンタ
６０  相手先装置
６１  送信原稿
６２  無線タグ
７１  記録用紙
【図１】
2008252291.tif 000003
【図２】
2008252291.tif 000004
【図３】
2008252291.tif 000005
【図４】
2008252291.tif 000006
【図５】
2008252291.tif 000007
【図６】
2008252291.tif 000008
【図７】
2008252291.tif 000009
【図８】
2008252291.tif 000010
【図９】
2008252291.tif 000011
【図１０】
2008252291.tif 000012
【図１１】
2008252291.tif 000013
【図１２】
2008252291.tif 000014
【図１３】
2008252291.tif 000015